【手続補正書】
【提出日】平成16年5月14日(2004.5.14)
【手続補正１】
【補正対象書類名】明細書
【補正対象項目名】発明の名称
【補正方法】変更
【補正の内容】
【発明の名称】情報提供装置および方法、情報受信装置および方法、並びに情報提供システム
【手続補正２】
【補正対象書類名】明細書
【補正対象項目名】特許請求の範囲
【補正方法】変更
【補正の内容】
【特許請求の範囲】
【請求項１】
全番組の、番組の識別コード、番組の放送開始時刻、および第２の情報の参照情報を含む第１の情報を生成する第１の生成手段と、
前記番組の情報と、前記番組の概要に関する概要情報とを含む第２の情報を生成する第２の生成手段と、
前記第１の情報と第２の情報をEPG情報として合成する合成手段と
を備えることを特徴とする情報提供装置。
【請求項２】
前記第１の生成手段は、前記番組の放送予定が変更されたとき、変更された事項を、前記第１の情報として生成する
ことを特徴とする請求項１に記載の情報提供装置。
【請求項３】
前記第２の生成手段は、前記第２の情報を、ニアビデオオンデマンドの番組用の情報として生成する
ことを特徴とする請求項１に記載の情報提供装置。
【請求項４】
前記第２の生成手段は、前記第２の情報の前記番組の情報として、前記番組の称呼およびジャンルを含む情報を生成する
ことを特徴とする請求項１に記載の情報提供装置。
【請求項５】
前記第１の生成手段は、前記第１の情報として、シリーズの番組であることを表す情報を生成する
ことを特徴とする請求項１に記載の情報提供装置。
【請求項６】
全番組の、番組の識別コード、番組の放送開始時刻、および第２の情報の参照情報を含む第１の情報を生成する第１の生成ステップと、
前記番組の情報と、前記番組の概要に関する概要情報とを含む第２の情報を生成する第２の生成ステップと、
前記第１の情報と第２の情報をEPG情報として合成する合成ステップと
を備えることを特徴とする情報提供方法。
【請求項７】
全番組の、番組の識別コード、番組の放送開始時刻、および第２の情報の参照情報を含む第１の情報と、前記番組の情報および前記番組の概要に関する概要情報を含む第２の情報とが合成され、生成されたEPG情報を含む信号を受信する受信手段と、
前記受信手段により受信された信号から前記EPG情報を抽出する抽出手段と、
前記抽出手段により抽出された前記EPG情報の表示を制御する制御手段と
を備えることを特徴とする情報受信装置。
【請求項８】
全番組の、番組の識別コード、番組の放送開始時刻、および第２の情報の参照情報を含む第１の情報と、前記番組の情報および前記番組の概要に関する概要情報を含む第２の情報とが合成され、生成されたEPG情報を含む信号を受信する受信ステップと、
前記受信ステップで受信された信号から前記EPG情報を抽出する抽出ステップと、
前記抽出ステップで抽出された前記EPG情報の表示を制御する制御ステップと
を備えることを特徴とする情報受信方法。
【請求項９】
情報提供装置から映像信号に重畳してEPG情報を伝送し、
情報受信装置で受信する情報提供システムにおいて、
前記情報提供装置は、
全番組の、番組の識別コード、番組の放送開始時刻、および第２の情報の参照情報を含む第１の情報を生成する第１の生成手段と、
前記番組の情報と、前記番組の概要に関する概要情報とを含む第２の情報を生成する第２の生成手段と、
前記第１の情報と第２の情報をEPG情報として合成する合成手段と
を備え、
前記情報受信装置は、
前記映像信号と前記EPG情報を含む信号を受信する受信手段と、
前記受信手段により受信された信号から前記EPG情報を抽出する抽出手段と、
前記抽出手段により抽出された前記EPG情報の表示を制御する制御手段と
を備える
ことを特徴とする情報提供システム。
【手続補正３】
【補正対象書類名】明細書
【補正対象項目名】０００１
【補正方法】変更
【補正の内容】
【０００１】
【発明の属する技術分野】
本発明は、情報提供装置および方法、情報受信装置および方法、並びに情報提供システムに関し、特に、番組の個別情報と共通情報とでEPG情報を形成することにより、より効率的に情報を提供することができるようにした、情報提供装置および方法、情報受信装置および方法、並びに情報提供システムに関する。
【手続補正４】
【補正対象書類名】明細書
【補正対象項目名】００２１
【補正方法】変更
【補正の内容】
【００２１】
【課題を解決するための手段】
請求項１に記載の情報提供装置は、全番組の、番組の識別コード、番組の放送開始時刻、および第２の情報の参照情報を含む第１の情報を生成する第１の生成手段と、番組の情報と、番組の概要に関する概要情報とを含む第２の情報を生成する第２の生成手段と、第１の情報と第２の情報をEPG情報として合成する合成手段とを備えることを特徴とする。
【手続補正５】
【補正対象書類名】明細書
【補正対象項目名】００２２
【補正方法】変更
【補正の内容】
【００２２】
請求項６に記載の情報提供方法は、全番組の、番組の識別コード、番組の放送開始時刻、および第２の情報の参照情報を含む第１の情報を生成する第１の生成ステップと、番組の情報と、番組の概要に関する概要情報とを含む第２の情報を生成する第２の生成ステップと、第１の情報と第２の情報をEPG情報として合成する合成ステップとを備えることを特徴とする。
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】変更
【補正の内容】
【００２４】
請求項７に記載の情報受信装置は、全番組の、番組の識別コード、番組の放送開始時刻、および第２の情報の参照情報を含む第１の情報と、番組の情報および番組の概要に関する概要情報を含む第２の情報とが合成され、生成されたEPG情報を含む信号を受信する受信手段と、受信手段により受信された信号からEPG情報を抽出する抽出手段と、抽出手段により抽出されたEPG情報の表示を制御する制御手段とを備えることを特徴とする。
【手続補正８】
【補正対象書類名】明細書
【補正対象項目名】００２５
【補正方法】変更
【補正の内容】
【００２５】
請求項８に記載の情報受信方法は、全番組の、番組の識別コード、番組の放送開始時刻、および第２の情報の参照情報を含む第１の情報と、番組の情報および番組の概要に関する概要情報を含む第２の情報とが合成され、生成されたEPG情報を含む信号を受信する受信ステップと、受信ステップで受信された信号からEPG情報を抽出する抽出ステップと、抽出ステップで抽出されたEPG情報の表示を制御する制御ステップとを備えることを特徴とする。
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】変更
【補正の内容】
【００２７】
請求項９に記載の情報提供システムは、情報提供装置は、全番組の、番組の識別コード、番組の放送開始時刻、および第２の情報の参照情報を含む第１の情報を生成する第１の生成手段と、番組の情報と、番組の概要に関する概要情報とを含む第２の情報を生成する第２の生成手段と、第１の情報と第２の情報をEPG情報として合成する合成手段とを備え、情報受信装置は、映像信号とEPG情報を含む信号を受信する受信手段と、受信手段により受信された信号からEPG情報を抽出する抽出手段と、抽出手段により抽出されたEPG情報の表示を制御する制御手段とを備えることを特徴とする。
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】変更
【補正の内容】
【００３０】
請求項１に記載の情報提供装置、請求項６に記載の情報提供方法においては、全番組の、番組の識別コード、番組の放送開始時刻、および第２の情報の参照情報を含む第１の情報と、番組の情報と、番組の概要に関する概要情報とを含む第２の情報とから、EPG情報が合成される。
【手続補正１４】
【補正対象書類名】明細書
【補正対象項目名】００３１
【補正方法】変更
【補正の内容】
【００３１】
請求項７に記載の情報受信装置、請求項８に記載の情報受信方法においては、全番組の、番組の識別コード、番組の放送開始時刻、および第２の情報の参照情報を含む第１の情報と、番組の情報および番組の概要に関する概要情報とを含む第２の情報とが合成され、生成されたEPG情報が、受信信号から抽出され、その表示が制御される。
【手続補正１５】
【補正対象書類名】明細書
【補正対象項目名】００３２
【補正方法】変更
【補正の内容】
【００３２】
請求項９に記載の情報提供システムにおいては、情報提供装置において、全番組の、番組の識別コード、番組の放送開始時刻、および第２の情報の参照情報を含む第１の情報と、番組の情報と、番組の概要に関する概要情報とを含む第２の情報とから、EPG情報が合成される。また、情報受信装置においては、全番組の、番組の識別コード、番組の放送開始時刻、および第２の情報の参照情報を含む第１の情報と、番組の情報および番組の概要に関する概要情報とを含む第２の情報とが合成され、生成されたEPG情報が、受信信号から抽出され、その表示が制御される。
【手続補正１６】
【補正対象書類名】明細書
【補正対象項目名】００３４
【補正方法】変更
【補正の内容】
【００３４】
請求項１に記載の情報提供装置は、全番組の、番組の識別コード、番組の放送開始時刻、および第２の情報の参照情報を含む第１の情報（例えば、図６，図８のETT）を生成する第１の生成手段（例えば、図３のETT生成部３３−４）と、番組の情報（例えば、図６，図８のgEMT,nEMT）と、番組の概要に関する概要情報（例えば、図６，８のdEMT）とを含む第２の情報（例えば、図６，図８のgEMT，nEMT，EMT）を生成する第２の生成手段（例えば、図３のgEMT生成部３３−５、nEMT生成部３３−６、dEMT生成部３３−７）と、第１の情報と第２の情報をEPG情報として合成する合成手段（例えば、図２のＴＳパケット化部３５）とを備えることを特徴とする。
【手続補正１７】
【補正対象書類名】明細書
【補正対象項目名】００３５
【補正方法】変更
【補正の内容】
【００３５】
請求項７に記載の情報受信装置は、全番組の、番組の識別コード、番組の放送開始時刻、および第２の情報の参照情報を含む第１の情報（例えば、図６，図８のETT）と、番組の情報（例えば、図６，図８のgEMT,nEMT）および番組の概要に関する概要情報（例えば、図６，８のdEMT）を含む第２の情報（例えば、図６，図８のgEMT，nEMT，EMT）とが合成され、生成されたEPG情報を含む信号を受信する受信手段（例えば、図４のフロントエンド部５１）と、受信手段により受信された信号からEPG情報を抽出する抽出手段（例えば、図４のデマルチプレクサ５７）と、抽出手段により抽出されたEPG情報の表示を制御する制御手段（例えば、図４のEPG処理プロセッサ５９）とを備えることを特徴とする。
【手続補正１８】
【補正対象書類名】明細書
【補正対象項目名】００３６
【補正方法】変更
【補正の内容】
【００３６】
請求項９に記載の情報提供システムは、情報提供装置は、全番組の、番組の識別コード、番組の放送開始時刻、および第２の情報の参照情報を含む第１の情報（例えば、図６，図８のETT）を生成する第１の生成手段（例えば、図３のETT生成部３３−４）と、番組の情報（例えば、図６，図８のgEMT,nEMT）と、番組の概要に関する概要情報（例えば、図６，８のdEMT）とを含む第２の情報（例えば、図６，図８のgEMT，nEMT，EMT）を生成する第２の生成手段（例えば、図３のgEMT生成部３３−５、nEMT生成部３３−６、dEMT生成部３３−７）と、第１の情報と第２の情報をEPG情報として合成する合成手段（例えば、図２のＴＳパケット化部３５）とを備え、情報受信装置は、映像信号とEPG情報を含む信号を受信する受信手段（例えば、図４のフロントエンド部５１）と、受信手段により受信された信号からEPG情報を抽出する抽出手段（例えば、図４のデマルチプレクサ５７）と、抽出手段により抽出されたEPG情報の表示を制御する制御手段（例えば、図４のEPG処理プロセッサ５９）とを備えることを特徴とする。
【手続補正１９】
【補正対象書類名】明細書
【補正対象項目名】０１４４
【補正方法】変更
【補正の内容】
【０１４４】
【発明の効果】
以上の如く、請求項１に記載の情報提供装置、請求項６に記載の情報提供方法によれば、第１の情報と第２の情報とから、EPG情報を合成するようにしたので、少ない伝送量で、効率的に、EPG情報を伝送することが可能となる。その結果、EPG情報の迅速な検索が可能となる。
【手続補正２０】
【補正対象書類名】明細書
【補正対象項目名】０１４５
【補正方法】変更
【補正の内容】
【０１４５】
請求項７に記載の情報受信装置、請求項８に記載の情報受信方法によれば、第１の情報と第２の情報とが合成され、生成されたEPG情報を受信し、受信した信号からEPG情報を抽出し、EPG情報の表示を制御するようにしたので、少ない伝送容量で、効率的に伝送されてきたEPG情報を確実に抽出し、処理することが可能となる。
【手続補正２１】
【補正対象書類名】明細書
【補正対象項目名】０１４６
【補正方法】変更
【補正の内容】
【０１４６】
請求項９に記載の情報提供システムによれば、第１の情報と第２の情報を合成してEPG情報として伝送し、受信した信号からEPG情報を抽出し、その表示を制御するようにしたので、少ない伝送容量で、効率的にEPG情報を伝送し、これを利用することが可能となる。